(57)【特許請求の範囲】
【請求項１】
対物レンズを組み込んだ可動ホルダが本体フレームに対して上下・左右方向に揺動可能に保持されてなる光ピックアップ機構において、
上記可動ホルダに上下方向へ突出する軸部を設け、この軸部の上下の端部を本体フレームの上面及び下面に開設した軸孔に遊嵌して可動ホルダを上下・左右動可能に保持すると共に、
前記可動ホルダがトラッキング制御による左右方向での揺動後に静止位置に復帰するための第１バネと、前記可動ホルダがフォーカス制御による上下方向での揺動後に静止位置に復帰するための第２バネとが前記本体フレームと可動ホルダとの間にそれぞれ掛け渡されていることを特徴とする光ピックアップ機構。
【請求項２】
前記第１バネが本体フレームと可動ホルダとの間に掛け渡されたコイルバネ、又は本体フレームと可動ホルダの軸部との間に掛け渡された渦巻きバネからなる請求項１記載の光ピックアップ機構。
【請求項３】
前記第２バネが本体フレームと可動ホルダの軸部の上下の先端部分との間に掛け渡された一対のあがきバネからなる請求項１記載の光ピックアップ機構。
【発明の詳細な説明】
【０００１】
【発明の属する技術分野】
本発明は、ＣＤ、ＭＤ、ＤＶＤプレーヤ、ゲーム機等の光ピックアップ機構に関する。
【０００２】
【従来の技術】
従来、光ピックアップ機構としては、例えば図４又は図５に示したような異なるタイプものが知られている。前者の光ピックアップ機構は、対物レンズ１を組み込んだ可動ホルダ２が本体フレーム３と、樹脂ヒンジ４によって連結されており、可動ホルダ２の左右両側に配設されたフォーカスコイル５及びトラッキングコイル６による上下・左右方向の動きに対して、上記樹脂ヒンジ４の撓み変形によって可動ホルダ２が追従できるようになっている。
【０００３】
一方、図５に示した後者の光ピックアップ機構は、可動ホルダ２の両側に配設した上下のワイヤ８を本体フレーム３に連結することで、可動ホルダ２を上下・左右方向に揺動可能に保持している。なお、可動ホルダ２の中央部にはフォーカスコイル５及びトラッキングコイル６が配設されていて、前記従来例と同じように、上下・左右方向への動きを制御している。
【０００４】
【発明が解決しようとする課題】
しかしながら、上記従来の光ピックアップ機構にあっては、前者の場合には樹脂ヒンジ４が樹脂の特性である高温に弱いという耐熱性の問題、さらに経時劣化、クリープ等の耐久性が問題となり、長期間の使用によって追従性能が損われるという課題があった。また、後者の場合には４本のワイヤ８を用いて組付けているために、可動ホルダ２の組立作業自体が非常に工数が掛かり自動化も困難で歩留りも悪いといった問題の外、光軸調整が難しい等の課題があった。
【０００５】
そこで、本発明は、耐熱性および耐久性に優れ且つ可動ホルダの組立や光軸調整が容易となる信頼性の高い光ピックアップ機構を提供することを目的としている。
【０００６】
【課題を解決するための手段】
すなわち、上記課題を解決するために、本発明に係る光ピックアップ機構は、対物レンズを組み込んだ可動ホルダが本体フレームに対して上下・左右方向に揺動可能に保持されてなる光ピックアップ機構において、上記可動ホルダに上下方向へ突出する軸部を設け、この軸部の上下の端部を本体フレームの上面及び下面に開設した軸孔に遊嵌して可動ホルダを上下・左右動可能に保持すると共に、前記可動ホルダがトラッキング制御による左右方向での揺動後に静止位置に復帰するための第１バネと、前記可動ホルダがフォーカス制御による上下方向での揺動後に静止位置に復帰するための第２バネとが前記本体フレームと可動ホルダとの間にそれぞれ掛け渡されていることを特徴とする。
【０００７】
【発明の実施の形態】
以下、添付図面に基づいて本発明に係る光ピックアップ機構の実施例を詳細に説明する。図１及び図２に示す第一実施例において、対物レンズ１１を先端部に組み込んだ可動ホルダ１２の中央部分には水平面１３が形成されており、この水平面１３の略中心部に上下方向に突出する軸部１４が一体に設けられている。この軸部１４は中央部分に比べて上下の先端部分１５ａ，１５ｂが細い円柱体で形成されており、更にその先が円錐状に尖っている。可動ホルダ１２の両側のスペースには一対のマグネット１６ａ，１６ｂに挟まれるようにしてフォーカスコイル１７とトラッキングコイル１８が配設されている。
【０００８】
一方、上記可動ホルダ１２の後側及び両側を囲むようにして後壁面２０と側壁面２１ａ，２１ｂとでコ字形状に形成された本体フレーム１９が配置されている。この本体フレーム１９は、可動ホルダ１２の上側と下側に覆い被さる上面部材２２と下面部材２３とを備えている。この上面部材２２と下面部材２３は、左右両端を本体フレーム１９の側壁面２１ａ，２１ｂに固定することで本体フレーム１９と一体となる。この実施例では上面部材２２及び下面部材２３のほぼ中心部に前記可動ホルダ１２の軸部１４の先端部分１５ａ，１５ｂが挿入される軸孔２４，２５が開設されている。軸部１４の先端部分１５ａ，１５ｂは、それぞれ軸孔２４，２５内で極少の遊びがある程度に嵌まっており、可動ホルダ１２を保持すると共に、可動ホルダ１２の上下・左右動を可能にしている。
【０００９】
更にこの実施例では、上記可動ホルダ１２の水平面１３の後部と本体フレーム１９の後壁面２０との間には、第１バネとしてのコイルバネ２６が掛け渡されている。このコイルバネ２６は可動ホルダ１２の静止状態である原点位置を確保している。
【００１０】
したがって、このような構成からなる光ピックアップ機構にあっては、フォーカス制御が行われる場合には、軸部１４の上下の先端部分１５ａ，１５ｂが軸孔２４，２５内で上下に動き得ることで可動ホルダ１２の上下動が可能となり、またトラッキング制御が行われる場合には、軸部１４の上下の先端部分１５ａ，１５ｂが軸孔２４，２５内で左右に動き得ることで可動ホルダ１２の左右動が可能となり、フォーカス制御およびトラッキング制御が解除されると同時に、前記コイルバネ２６はその弾性作用により可動ホルダ１２を常に静止状態である原点位置へ復帰するように作用する。
【００１１】
図３は、本発明に係る光ピックアップ機構の第二実施例を示したものである。この実施例では可動ホルダ１２の水平面１３に設けた軸部１４の先端部分１５ａ，１５ｂを本体フレーム１９の上面部材２２及び下面部材２３に設けた軸孔２４，２５に遊嵌保持させる点で前記実施例と同じであるが、更に軸孔２４，２５から突出した両方の先端部分１５ａ，１５ｂに上面部材２２及び下面部材２３に一端が固定された、第２バネとしての板状のあがきばね３０，３１の先端駒３２，３３を当てた構成となっている。このあがきばね３０，３１で軸部１４の先端部分１５ａ，１５ｂを上下方向から押圧することで、可動ホルダ１２は上下方向がばねによってバランスがとれた状態で保持されることになる。
【００１２】
一方、この実施例では上記コイルバネ２６に代わって、可動ホルダ１２の軸部１４と本体フレーム１９の後壁面２０との間に第１バネとしての渦巻きバネ３４が掛け渡されている。この渦巻きバネ３４は本体フレーム１９の後壁面２０から伸びて可動ホルダ１２の軸部１４の回りで渦を巻く構成となっており、可動ホルダ１２の水平方向でのバランス及び揺動を良好にしている。
【００１３】
したがって、このような構成からなる光ピックアップ機構にあっては、可動ホルダ１２は常態時にはあがきバネ３０，３１と渦巻きバネ３４とでバランス良く保持されていると共に、フォーカス制御が行われて可動ホルダ１２が上下動する場合には、あがきバネ３０，３１の弾性作用によって可動ホルダ１２がスムーズに上下動できる他、可動ホルダ１２の定位置への戻りも素早く行われる。また、トラッキング制御が行われて可動ホルダ１２が水平方向で揺動する場合にも渦巻きバネ３４が水平面１３と平行な状態で伸縮するため、可動ホルダ１２の水平方向での動きがスムーズになされる他、定位置への戻りも素早くなる。
【００１４】
【発明の効果】
以上説明したように、本発明に係る光ピックアップ機構によれば、上述した構成によって本体フレームに可動ホルダを保持させたので、耐久性が大幅に向上し、長期間の使用によってもピックアップの追従性能が損われるおそれがなく、また製品の組立作業や光軸調整も容易になるため、工数削減や歩留り向上が図れ、さらに自動化も可能となるなど信頼性の向上およびコストダウンによる経済的効果を奏する。
【図面の簡単な説明】
【図１】本発明に係る光ピックアップ機構の第一実施例を示す斜視図である。
【図２】上記図１のＡ−Ａ線断面図である。
【図３】本発明の第二実施例を示す図２と同様の断面図である。
【図４】従来における光ピックアップ機構の一例を示す斜視図である。
【図５】従来における光ピックアップ機構の他の一例を示す斜視図である。
【符号の説明】
１１  対物レンズ
１２  可動ホルダ
１４  軸部
１５ａ，１５ｂ  先端部分（端部）
１９  本体フレーム
２２  上面部材（上面）
２３  下面部材（下面）
２４，２５  軸孔
２６  コイルバネ
３４  渦巻きバネ
【図１】
0003558315.tif 000002
【図２】
0003558315.tif 000003
【図３】
0003558315.tif 000004
【図４】
0003558315.tif 000005
【図５】
0003558315.tif 000006